(57)【特許請求の範囲】
【請求項１】
吸込口と吹出口とを備えた筐体内を仕切板により、送風ファンを収納した送風機室と、熱交換器と同熱交換器から滴下する凝縮水を貯留する露受皿とを収納した熱交換器室とに区画し、前記仕切板に、前記送風ファンを駆動するファンモータを固定し、前記筐体に電装品箱を付設してなるダクト型空気調和機において、
前記筐体内の一側に前記電装品箱と、凝縮水を排出するドレンポンプとを設け、前記熱交換器の側面であって前記ドレンポンプの近傍に遮風板を設けてなり、同遮風板の下部を折曲して、前記ドレンポンプと干渉しないようにするとともに、折曲した部位が前記ドレンポンプを凝縮水から保護する保護カバー部となり、
前記露受皿が前記筐体の横置き設置の際の凝縮水の受け部と、縦置き設置の際の凝縮水の受け部とを有し、前記保護カバー部が、前記熱交換器の側面を覆う遮風部を折曲して形成された水平部と、同水平部に連なる斜面部と、同斜面部の先端部をＬ字状に折曲して形成された導水部及び導水部覆いとからなり、前記熱交換器から前記遮風部に滴下した凝縮水を、前記水平部と、前記斜面部と、前記導水部とで前記露受皿の縦置き設置の際の凝縮水の受け部に導く導水機能を有してなることを特徴とするダクト型空気調和機。
【発明の詳細な説明】
【技術分野】
【０００１】
本発明は、ダクト型空気調和機に関わり、より詳細には、露受皿に配置されたドレンポンプの保護手段に関するものである。
【背景技術】
【０００２】
建屋の天井空間内に設置され、室内熱交換器およびファンを収容して構成された本体に、吹出ダクトを接続したダクト型空気調和機が知られている。ダクト型空気調和機にはパネル仕様型とダクト仕様型とがあり、例えば図６で示す空気調和機３０はダクト仕様型であり、建屋の天井面５０に取付けられた複数の吊ボルト３２に固定された本体３１と、室内の天井面５１に、吸込口３４となる一端を開口し、他端を本体３１に接続した吸込ダクト３５と、一端を本体３１に接続し、吹出口３６となる他端を室内の天井面５１に開口した吹出ダクト３７とから構成され、本体３１には、制御基板等を収納した電装品箱３３が付設されている。
【０００３】
本体３１は、互いに対向配置されて四角枠形状に設けられた側板と、底板とからなる上面が開放された箱体と、同箱体の開放された上面を覆う天板とからなり、これら側板と天板の内側あるいは外側表面には結露を防止する断熱材が貼着されている。本体３１内は、後述する仕切板４０により送風機室と、熱交換器室とに区画されており、吸込ダクト３５側には、複数の送風ファンと、同送風ファンを駆動する仕切板に固定されたファンモータとが収納された送風機室が形成され、吹出ダクト３７側には、熱交換器と、同熱交換器から滴下する凝縮水を貯留するドレンパンとを収納した熱交換器室とが形成されている。
【０００４】
吸込口３４から吸込まれた空気は吸込ダクト３５を介して本体３１内の送風機室に吸引され、送風ファンにより、熱交換器室に送出され、熱交換器を通過して冷媒と熱交換される。熱交換された空気は、吹出ダクト３７を介して吹出口３６から室内に送出されるようになっている。
【０００５】
近年、熱交換効率の向上により熱交換器の小型化が図られ、これにより筐体外に付設されていた電装品箱も筐体内に内蔵されるようになってきている。電装品箱が筐体内に内蔵されると、スペースの関係から熱交換器の側面には隙間が生じ、同隙間を熱交換されない空気が通過してしまい、熱交換効率が低下するという不都合が発生する。
【０００６】
ダクト型空気調和機は通常、建屋の天井面と室内の天井面との間に横置きで配置されるが、建屋の天井面と室内の天井面との間に充分なスペースが確保できない場合や、上記した露受皿に接続される排出菅が天井面内において上下に蛇行した複雑な経路となる場合等において、ダクト型空気調和機は縦置きで設置されるようになっている。
【０００７】
また、横置きで設置された際、ダクト型空気調和機の設置箇所が比較的低い場合であったり、更に配管、特に露受皿からの排水管の引き廻しが複雑となって、凝縮水の排出に支障が発生する虞がある場合には、露受皿の一側に、ドレンポンプが設けられ、同ドレンポンプにより凝縮水の排出が行われるようになっている。
【０００８】
上記したように、本体３１内に電装品箱とドレンポンプとを内蔵し、また、熱交換器を通過しない空気が生じることを防止する防止手段を設けると、本体３１の小型化、コンパクト化に支障が生じ、牽いてはダクト型空気調和機の小型化、コンパクト化に障害となっていた。
【０００９】
また、凝縮水を貯留する露受皿上にドレンポンプを設置すると、同ドレンポンプに、熱交換器からの凝縮水が飛散したり、滴下する虞がある。ドレンポンプはモータを駆動するための電源部、制御部を備えるとともに、配線コードを接続しており、凝縮水が掛かるとモータ等の故障に■がる虞がある。
【００１０】
凝縮水あるいは結露水が飛散したり、滴下する問題に対し、例えば、実開平１−１６９７２４号に、熱交換器の側板に、筐体のフレームと固定するための固定片を備えた支持板を設け、固定片の下部に露受皿に臨む折曲片を形成して支持板上に結露した結露水を露受皿に導びく技術が開示されている。このように、凝縮水及び結露水を露受皿に導びく案内手段を形成した例もあるが、ドレンポンプを配置した際の本体の大型化防止、あるいはドレンポンプの保護手段については考慮されていない。本体外に付設されていた電装品箱、ドレンポンプを本体３１内に内蔵したとしても、本体３１の大型化を防止しながら、更に、ドレンポンプを凝縮水あるいは結露水から的確に保護する保護手段及び凝縮水の飛散防止手段を備えたダクト型空気調和機が求められていた。
【先行技術文献】
【特許文献】
【００１１】
【特許文献１】特開２０００−２７４７２８号（４頁、図５）
【発明の概要】
【発明が解決しようとする課題】
【００１２】
本発明は、上記問題点に鑑み、本体内に電装品箱とドレンポンプを配置し、更にドレンポンプの近傍に遮風板を配置しても、本体が大型化することを防ぎながら、本体の小型化、コンパクト化を図り、且つ、本体内に内蔵されたドレンポンプを、熱交換器から滴下する凝縮水より保護する保護手段を備えたダクト型空気調和機を提供することを目的とする。
【課題を解決するための手段】
【００１３】
本発明は、上記課題を解決するため、吸込口と吹出口とを備えた筐体内を仕切板により、送風ファンを収納した送風機室と、熱交換器と同熱交換器から滴下する凝縮水を貯留する露受皿とを収納した熱交換器室とに区画し、前記仕切板に、前記送風ファンを駆動するファンモータを固定し、前記筐体に電装品箱を付設してなるダクト型空気調和機において、前記筐体内の一側に前記電装品箱と、凝縮水を排出するドレンポンプとを設け、前記熱交換器の側面であって前記ドレンポンプの近傍に遮風板を設けてなり、同遮風板の下部を折曲して、前記ドレンポンプと干渉しないようにするとともに、折曲した部位が前記ドレンポンプを凝縮水から保護する保護カバー部となる構成となっている。
【００１４】
また、前記露受皿が前記筐体の横置き設置の際の凝縮水の受け部と、縦置き設置の際の凝縮水の受け部とを有し、前記保護カバー部が、前記熱交換器の側面を覆う遮風部を折曲して形成された水平部と、同水平部に連なる斜面部と、同斜面部の先端部をＬ字状に折曲して形成された導水部及び導水部覆いとからなり、前記熱交換器から前記遮風部に滴下した凝縮水を、前記水平部と、前記斜面部と、前記導水部とで前記露受皿の縦置き設置の際の凝縮水の受け部に導びく導水機能を有してなる構成となっている。
【発明の効果】
【００１５】
請求項１の発明によれば、筐体内に電装品箱とドレンポンプとを内蔵しながら、遮風板がドレンポンプの配置の障害とならないよう、遮風板の下部を折曲してドレンポンプの保護カバー部を設けている。これにより、電装品箱とドレンポンプとを内蔵しながら、筐体の小型化、コンパクト化が図れるようになっている。
【００１６】
請求項２の発明によれば、前記保護カバー部が、水平部と、斜面部と、同斜面部の先端部にＬ字状に折曲して形成された導水部及び導水部覆いとからなり、前記熱交換器から前記遮風部に滴下した凝縮水を、前記露受皿に導びく導水機能を有することにより、ドレンポンプに飛散する凝縮水を防止できるようになっている。
【図面の簡単な説明】
【００１７】
【図１】本発明によるダクト型空気調和機の外観分解斜視図及び断面図である。
【図２】本発明によるダクト型空気調和機の横型と縦型との配置を示す説明図である。
【図３】縦置き設置した際の筐体の内部を示す斜視図である。
【図４】遮風板とドレンポンプとの位置関係を示す斜視図である。
【図５】遮風板の構成を示す斜視図である。
【図６】従来のダクト型空気調和機を示す説明図である。
【発明を実施するための形態】
【００１８】
以下、本発明の実施の形態を、添付図面に基づいた実施例として詳細に説明する。
【実施例１】
【００１９】
本発明によるダクト型空気調和機を、図１（Ａ）の斜視図及び図１（Ｂ）の断面図で示す。図１（Ａ）の斜視図は、後述する送風機室４側からの斜視図であり、天板２を外した状態で示している。
【００２０】
本発明によるダクト型空気調和機は、図１（Ａ）の斜視図で示すように、底板と、同底板の四側周囲に備えられた側板及び吹出ダクトが接続される前面板とからなる上面が開放された箱体１と、同箱体１の開放された上面を覆う天板２とで筐体を構成しており、同筐体の側板及び天板の内側もしくは外側表面には、これら側板及び天板の表面に結露が発生することを防止する断熱材が貼着されている。上面が開放された箱体１の側板には、図示しない複数の吊金具が設けられ、この吊り金具が、建屋の天井から垂下された吊りボルトに固定されて、建屋の天井と室内の天井面との間に吊り下げられるようになっている。また、筐体内の一側には、制御基板等を収納した電装品箱１４が内蔵されている。
【００２１】
上面が開放された箱体１と天板２とからなる筐体内は、図１（Ｂ）の断面図で示すように、仕切板３により送風機室４と熱交換器室５とに区画されている。送風機室４側の筐体の一側には、網目状のグリル６ｂを備えた吸込口６が形成されており、同吸込口６には、図示しない吸込ダクトが接続されるようになっている。また、送風機室４には、図１（Ａ）に示すように、左右一対に送風ファン８が設けられており、これら送風ファン８の中央に、両側に回転軸を突出させたファンモータ９が仕切板３に固定されて配置されている。ファンモータ９の回転軸は、送風ファン８のケーシング８ａ内に収納された回転ブレード８ｂに接続されており、これを回転駆動するようになっている。また、送風ファン８の送出口８ｄは、仕切板３に開口された開口部から熱交換器室５に突出して設けられている。尚、送風ファン８はシロッコファンであり、ケーシング８ａの両側面に吸入口８ｂを備え、筐体の吸込口６から流入してきた空気を同ケーシング８ａの吸入口８ｂから吸入し、回転ブレード８ｃによりケーシング８ａ先端部の送出口８ｄから熱交換器室５に送出するようになっている。
【００２２】
筐体の吸込口６を形成する網目状のグリル６ｂには、開口部に、図示しない吸込ダクトが接続される場合と、接続されない場合があり、必要に応じて使い分けられるようになっている。
【００２３】
熱交換器室５側の筐体の他側には前面板１ａが備えられ、同前面板１ａには、図示しない吹出ダクトが接続される吹出ダクト接続口７が形成されている。同吹出ダクト接続口７に吹出ダクトの一端が接続され、他端は室内天井の開口部に接続されるようになっている。
【００２４】
熱交換器室５には、吹出ダクト接続口７から仕切板３に向かい、下方に傾斜した室内熱交換器１０が設けられている。同室内熱交換器１０は、並列した多数のフィンと、同フィンに直交するように蛇行状に配設された伝熱管とからなり、同伝熱管は配管を介して図示しない室外機に接続されるようになっている。また、熱交換器室５の底面には、室内熱交換器１０の表面で凝縮した凝縮水を受ける露受皿１１が設けられている。同露受皿１１は、後述する筐体の横置き設置の際、凝縮水を受ける底面部１１ｂと、
縦置設置の際、仕切板３側に、凝縮水を受けることのできる立ち上がり部１１ａの底面部１１ｃとを有する断面Ｌ字状に形成され、これにより、ダクト型空気調和機は、熱交換器室５を上部にした縦置設置でも使用できるようになっている。尚、露受皿１１に貯留された凝縮水は、図示しない排水菅により、外部に排出されるようになっている。
【００２５】
筐体の吸込口６から吸込まれた空気は、送風機室４の送風ファン８により熱交換器室５に送出され、室内熱交換器１０で冷媒と熱交換された後、吹出ダクト接続口７に接続された図示しない吹出ダクトを介して室内に吹出され、室内の冷暖房を行うようになっている。
【００２６】
ダクト型空気調和機は、図２（Ａ）に示すように、通常は横置きで天井面内に設置されるが、天井面内に充分な設置スペースが確保できない場合は、図２（Ｂ）に示すように、天井面内に縦置きで設置され吊り金具１ｂが図示しない吊りボルトに固定されて、天井面内に設置されるようになっている。
【００２７】
横置き設置した際、露受皿１１の底面部１１ｂは、室内熱交換器１０から滴下する凝縮水の受け部となっており、同底面部１１ｂに貯留された凝縮水は排水管１１ｄにより外部に排出されるか、あるいは後述するドレンポンプ１２により吸入されて適宜、排水管１２ａにより排出されるようになっている。
【００２８】
縦置き設置した際の筐体内部の構成は、図３で示すように、露受皿１１の上記した立ち上がり部１１ａの底面部１１ｃが室内熱交換器１０から滴下する凝縮水の受け部となっており、同底面部１１ｃが、図２で示す、吊り金具１ｂを備えた筐体の底面部まで高さ方向の距離があるので、底面部１１ｃに貯留された凝縮水は筐体の底面部に位置する排水管１１ｄまで自然落下し、外部に排出されるようになっている。従って、縦置きで設置された際は、後述するドレンポンプ１２の運転の必要はない。
【００２９】
筐体内には、図３で示すように、ドレンポンプ１２が設けられ、同ドレンポンプ１２は、上記した電装品箱１４が配置された筐体の一側に、電装品箱１４と前後した位置関係で配設されている。また、熱交換器室５に傾斜して設置された室内熱交換器１０の一側には、同室内熱交換器１０と平行となるように、平板状に形成された遮風板１３が設けられている。同遮風板１３は送風ファン８の送出口８ｃから熱交換器室５に送出された空気が熱交換器１０を通過しないと、熱交換されない空気が吹出ダクト接続口７を介して吹出されることになり冷暖房効率の低下を招いてしまうので、これら熱交換器１０を通過しない空気を遮断するために設けられている。これにより熱交換器室５に送出された空気が全て室内熱交換器１０を通過して熱交換されることとなり、冷暖房効率の低下を防止するようになっている。また、同遮風板１３は、露受皿１１の一側に配置された、上記したドレンポンプ１２と干渉しないよう、下部を折曲して一体に形成され、更に折曲された部分は、ドレンポンプ１２を凝縮水から保護する保護カバー部１３ｂとして形成されている。
【００３０】
露受皿１１の一側に配置されたドレンポンプ１２には、室内熱交換器１０のフィン１０ａや同室内熱交換器１０の側面に突出した伝熱管１０ｂから滴下する凝縮水が滴下及び飛散する虞があるが、保護カバー部１３ｂは、遮風板１３がドレンポンプ１２と干渉するのを回避しながら、滴下する凝縮水からドレンポンプ１２を保護するために設けられている。ドレンポンプ１２は動力源となるモータや同モータを制御する制御基板を内蔵するとともに、同モータの電源配線を接続しており、これらに凝縮水が掛かるとドレンポンプ１２に故障が発生する虞があるが、保護カバー部１３ｂは、このような故障発生を防止するようになっている。
【００３１】
次に、遮風板１３の全体形状について説明する。図５に示すように、遮風板１３は平板状に形成され、熱交換器１０の側面を覆う遮風部１３ａと、同遮風部１３ａの下部に位置する上記した保護カバー部１３ｂとからなり、遮風部１３ａの周縁には固定用の複数の螺子孔１３ｇが穿設されている。
【００３２】
保護カバー部１３ｂは、遮風部１３ａから折曲されて、縦置き設置された際、水平となる水平部１３ｃと、同水平部１３ｃに連続して形成され、斜面となった先細状の斜面部１３ｄと、同斜面部１３ｄの先細状先端部にＬ字状に折曲して形成された導水部１３ｅ及び導水部覆い１３ｆとからなっており、水平部１３ｃと斜面部１３ｄとは、組立時、ドレンポンプ１２の本体部から逃げるように形成され、また、導水部１３ｅ及び導水部覆い１３ｆは、ドレンポンプ１２のホースや接続具等を逃げるように形成されている。縦置き設置時、水平部１３ｃと斜面部１３ｄとは露受皿１１の底面部１１ｂ側に位置してドレンポンプ１２を覆うとともに、水平部１３ｃから斜面部１３ｄに向かい凝縮水が流れ落ちるようになっている。  
【００３３】
次に、縦置き設置時の効果について説明する。遮風板１３が熱交換器１０の側面に設置されると、遮風部１３ａが熱交換器１０の側面を通過しようとする空気を遮断し、また、縦置き設置時、冷房運転を行うと遮風部１３ａには、室内熱交換器１０の側面に突出した伝熱管１０ｂから凝縮水が滴下するとともに、室内熱交換器１０により遮風板１３も冷却されて遮風部１３ａに衝突した空気が結露し、同遮風部１３ａの表面に結露水が生じる。
【００３４】
遮風部１３ａに伝熱管１０ｂから滴下した凝縮水や、同遮風部１３ａの表面に結露した結露水は、保護カバー部１３ｂの水平部１３ｃに滴下するとともに、同水平部１３ｃに連続して形成された先細状の斜面部１３ｄとにより、周囲に飛散することなく集水されるようになっている。集水された凝縮水あるいは結露水は斜面部１３ｄを流れ落ち、導水部覆い１３ｆを備えた導水部１３ｅに注がれるようになっている。続いて、凝縮水あるいは結露水は導水部１３ｅから、図５において図示しない露受皿１１の、縦置き設置時の凝縮水の受け部となる立ち上がり部１１ａの底面部１１ｃに流れ落ち、同底面部１１ｃに貯留されるようになっている。また、貯留された凝縮水あるいは結露水は、排水菅１１ｄを介して外部に排出されるようになっている。
【００３５】
以上、説明したように、筐体内に電装品箱１４とドレンポンプ１２とを内蔵しながら、遮風板１３により熱交換効率の低下を防ぎ、また、遮風板１３がドレンポンプ１２と干渉しないよう、同遮風板１３の下部を折曲するとともにドレンポンプ１２の保護カバー部１３ｂを設けている。同保護カバー部１３ｂは、上記したように、水平部１３ｃと斜面部１３ｄとはドレンポンプ１２の本体部から逃げるように形成される一方、ドレンポンプ１２を覆うようになっており、上記した水平部１３ｃから斜面部１３ｄに向かい凝縮水が流れ落ちるようになっている。また、導水部１３ｅ及び導水部覆い１３ｆは、ドレンポンプ１２のホース等を逃げるように、縦置き設置した際の前面側に位置するようになっている。このように、ドレンポンプ１２と電装品箱１４とを近接して配置できることにより、ドレンポンプ１２と電装品箱１４とを内蔵しながら、筐体の小型化、コンパクト化が図れるようになっている。また、遮風板１３に一体的に形成された保護カバー部１３ｂは、ドレンポンプ１２を覆って凝縮水あるいは結露水がドレンポンプ１２に掛かるのを防止するばかりでなく、遮風部１３ａに滴下した凝縮水あるいは発生した結露水を周囲に飛散させず、露受皿１１に導びく機能を併せて有しており、ドレンポンプ１２に凝縮水あるいは結露水が掛かる危険性をなくすようになっている。
【符号の説明】
【００３６】
１  箱体
２  天板
３  仕切板
４  送風機室
５  熱交換器室
６  吸込口
７  吹出ダクト接続口
８  送風ファン
８ａ  ファンケーシング
８ｂ  回転ブレード
８ｃ  送出口
９  ファンモータ
１０  室内熱交換器
１１  露受皿
１１ａ  立ち上がり部
１１ｂ，１１ｃ  底面部
１２  ドレンポンプ
１２ａ  排水管
１３  遮風板
１３ａ  遮風部
１３ｂ  保護カバー部
１３ｃ  水平部
１３ｄ  斜面部
１３ｅ  導水部
１３ｆ  導水部覆い
１３ｇ  螺子孔
１４  電装品箱
【図１】
0005471309.tif 000002
【図２】
0005471309.tif 000003
【図３】
0005471309.tif 000004
【図４】
0005471309.tif 000005
【図５】
0005471309.tif 000006
【図６】
0005471309.tif 000007